(57)【特許請求の範囲】
【請求項１】
ケース内で、コイルへの通電の制御によりプランジャが進退する有極電磁石装置を備え、当該プランジャの進退に伴って固定接点と可動接点とを開閉するリモコンリレーにおいて、
固定接点と可動接点とが閉じられた状態で、当該可動接点を有する可動接触子に間隙をあけて配置され、当該可動接触子の振動を規制する振動規制部を備え、
前記振動規制部を、前記可動接触子の前記可動接点に対して長手方向反対側となる端部に対向させて配置し、この可動接触子の端部を前記振動規制部に向けて屈曲させ、
前記固定接点を有する固定接触子と前記可動接触子とを二対備えるとともに、それら二対を隔絶する隔壁を備え、
前記振動規制部を前記隔壁に設け、
この隔壁は、前記振動規制部と前記可動接触子との接触によって生じた塵芥が固定接点と可動接点との接触部位側に向かうのを抑制する障壁部を備えることを特徴とするリモコンリレー。
【発明の詳細な説明】
【技術分野】
【０００１】
本発明は、リモコンリレーに関する。
【背景技術】
【０００２】
従来、合成樹脂等からなるケース内で、コイルへの通電の制御によりプランジャが進退する有極電磁石装置を備え、当該プランジャの進退に伴って固定接点と可動接点とを開閉するようにしたリモコンリレーが知られている（例えば特許文献１）。
【特許文献１】特開２００１−１５５６１４号公報
【発明の開示】
【発明が解決しようとする課題】
【０００３】
しかしながら、この種のリモコンリレーでは、固定接点と可動接点とを閉じたときに可動接点が振動してチャタリングが生じる場合がある。このチャタリングは、可動接触子をスプリング等で押圧することである程度収めることができるが、かかるスプリングの押圧によるチャタリングの抑制には限界がある。
【０００４】
そこで、本発明は、チャタリングをより一層抑制することが可能なリモコンリレーを得ることを目的とする。
【課題を解決するための手段】
【０００５】
請求項１の発明にあっては、ケース内で、コイルへの通電の制御によりプランジャが進退する有極電磁石装置を備え、当該プランジャの進退に伴って固定接点と可動接点とを開閉するリモコンリレーにおいて、固定接点と可動接点とが閉じられた状態で、当該可動接点を有する可動接触子に間隙をあけて配置され、当該可動接触子の振動を規制する振動規制部を備え、前記振動規制部を、前記可動接触子の前記可動接点に対して長手方向反対側となる端部に対向させて配置し、この可動接触子の端部を前記振動規制部に向けて屈曲させ、前記固定接点を有する固定接触子と前記可動接触子とを二対備えるとともに、それら二対を隔絶する隔壁を備え、前記振動規制部を前記隔壁に設け、この隔壁は、前記振動規制部と前記可動接触子との接触によって生じた塵芥が固定接点と可動接点との接触部位側に向かうのを抑制する障壁部を備えることを特徴とする。
【発明の効果】
【００１１】
請求項１の発明によれば、上記振動規制部によってＯＮされた状態での可動接触子の振動を抑制し、チャタリングを抑制することができる。
また、可動接点の反対側の振幅が大きい部位で効果的に振動を抑制し、チャタリングを抑制することができる。
また、可動接触子に比較的近い位置に配置される隔壁を利用して、振動規制部を比較的簡素な構成として得ることができる。
さらに、障壁部によって塵芥が固定接点と可動接点との間に介在して接触不良等の不具合が生じるのを抑制することができる。
【発明を実施するための最良の形態】
【００１７】
以下、本発明の実施形態について図面を参照しながら詳細に説明する。なお、以下の各実施形態は、同様の構成要素を備えている。よって、それら同様の構成要素については共通の符号を付与するとともに、重複する説明を省略する。
【００１８】
（第１実施形態）図１は、本発明の第１実施形態にかかるリモコンリレーの内部構成を示す側面図である。
【００１９】
リモコンリレー１は、絶縁性の合成樹脂からなる略有底角筒状のボディ３と、当該ボディ３の開口面を覆う図示省略したカバーとからなるケース２を備えている。なお、図１は、カバーを外して内部を露出させた状態を示している。
【００２０】
ボディ３には、貫通孔３ｂが四箇所形成されており、各貫通孔３ｂおよびカバーに対応して設けた貫通孔に、ボディ３およびカバーのうち一方の表面側からかしめピン（図示せず）を挿通し、他方の表面側に露出した先端部をかしめることによって、ボディ３とカバーとが一体化されるようになっている。
【００２１】
ボディ３は、略長方形板状の底壁部３ａと、その周縁部に垂設される側壁部３ｃとを備えて略有底角筒状に形成されている。側壁部３ｃは、一短辺側（図１では左側）で切り欠かれており、この切欠部３ｄから、主接続端子８，９が露出されている。
【００２２】
また、主接続端子８，９が露出する側と反対側となる側壁部３ｃには切欠部３ｅが形成され、この切欠部３ｅから、電磁石ブロック１０（有極電磁石装置）の通電端子１１が露出している。また、側壁部３ｃには、電磁石ブロック１０に揺動可能に設けられる連動レバー１４の手動操作部１４ａを露出させる切欠部３ｆも形成されている。
【００２３】
ケース２の内部には、電磁石ブロック１０の他、固定接触子６や可動接触子７等の各種構成部品が収容される。
【００２４】
電磁石ブロック１０は、通電端子１１を介して通電されるコイル（図示せず）と、このコイルへの通電の制御によって進退移動するプランジャ１３と、電磁石ブロック１０の本体部に揺動可能に支持される連動レバー１４とを備えている。この連動レバー１４は、プランジャ１３の進退動作に伴って揺動するようになっている。
【００２５】
固定接触子６は、ボディ３に固定される一方、可動接触子７は連動レバー１４に取り付けられて、当該連動レバー１４に伴って揺動することになる。また、固定接触子６と当該固定接触子６用の主接続端子８とは一つの金属導体を折曲成形して一体に形成される一方、可動接触子７と当該可動接触子７用の主接続端子９とは銅系材料からなる可撓性の編組線１５を介して接続されている。
【００２６】
この可動接触子７は、スプリング１６によって、接点６ａ，７ａ間の接圧が高まる方向に付勢されている。このスプリング１６は、連動レバー１４と可動接触子７との間に介在し、連動レバー１４による可動接触子７の支持点Ｍに対して、接点７ａの反対側を押圧している。
【００２７】
そして、かかる構成において、プランジャ１３が電磁石ブロック１０の本体部から突出した位置では、図１に示すように、固定接触子６の固定接点６ａと可動接触子７の可動接点７ａとが当接して主接続端子８，９間の回路が閉じ、プランジャ１３が電磁石ブロック１０の本体部の内側に引き込んだ位置（図示せず）では固定接触子６の固定接点６ａと可動接触子７の可動接点７ａとが離間して当該回路が開くようになっている。なお、本実施形態では、可動接触子７を固定接触子６側に付勢する付勢手段としてのコイルばね１６を設け、接点６ａ，７ａ同士が接触している状態での接触圧力を高めてある。
【００２８】
また、連動レバー１４には、ケース２外に露出する手動操作部１４ａが設けられており、この手動操作部１４ａの操作によって連動レバー１４を動かし、当該回路の開閉を手動で切り替えられるようになっている。
【００２９】
本実施形態では、固定接触子６および可動接触子７の対が二対（二極）設けられており、これら二対が、ボディ３の底壁部３ａとカバーとの中間に位置してこれらに略平行な隔壁１７によって隔絶されている。これら二対は、隔壁１７を中心としてほぼ面対称となるように配置されており、うち一対（底壁部３ａ側）の固定接触子６および主接触端子８，９はボディ３に固定されるとともに、もう一対（カバー側）の固定接触子６および主接触端子８，９は隔壁１７に固定されている。図１では、ボディ３に固定される底壁部３ａ側の一対は隔壁１７によって隠れており、隔壁１７に固定されるカバー側の一対のみ示されている。そして、これに対応して、連動レバー１４には、相互に対称配置された二つの可動接触子７が保持されている（図１では、カバー側の一対のみ示されている）。
【００３０】
ここで、かかるリモコンリレー１の動作について説明すると、まず、プランジャ１３が突出する向きに通電端子１１を介して電磁石ブロック１０内のコイルを通電すると、プランジャ１３の突出に伴って連動レバー１４が回動し、可動接触子７の可動接点７ａが固定接触子６の固定接点６ａに接触して、主接続端子８，９間の回路が閉じる。なお、接点６ａ，７ａ同士が接触した状態は、コイルへの通電を停止した状態でも維持されるようになっている。
【００３１】
次に、プランジャ１３が引き込む向きにコイルを通電すると、プランジャ１３の退入に伴って連動レバー１４が回動し、可動接触子７の可動接点７ａが固定接触子６の固定接点６ａから離間して、主接続端子８，９間の回路が開く。
【００３２】
ここで、本実施形態では、固定接点６ａと可動接点７ａとが閉じられたとき、すなわちＯＮされたときに、可動接触子７の振動を規制する振動規制部１２が設けられている。この振動規制部１２は、固定接点６ａと可動接点７ａとが閉じられた状態で、可動接触子７の可動接点７ａに対して長手方向反対側となる端部７ｂに微小な間隙をあけて配置されており、本実施形態では、隔壁１７に突壁として設けられている。
【００３３】
よって、本実施形態によれば、接点６ａ，７ａが閉じた際に振動する可動接触子７に振動規制部１２が接触することによって当該可動接触子７の振動が抑制され、チャタリングを抑制することができる。
【００３４】
なお、振動規制部１２が、可動接触子７や連動レバー１４の動作の妨げとならないよう、これらの移動軌跡と干渉しないように設けてあることは言うまでもない。
【００３５】
また、本実施形態によれば、振動規制部１２が可動接触子７の可動接点７ａに対して長手方向反対側となる端部７ｂに接触して振動を規制するようにしたため、接点６ａ，７ａ同士の接触状態への影響を極力抑えながら、振幅が大きくなる端部７ｂで効果的に振動を抑制し、チャタリングを抑制することができる。
【００３６】
さらに、本実施形態によれば、可動接触子７に比較的近い位置に配置される隔壁１７に振動規制部１２を設けたため、振動規制部１２を備える構成を比較的簡素な構成として具現化することができる。
【００３７】
加えて、本実施形態では、隔壁１７の振動規制部１２に対して接点６ａ，７ａ側となる部位に、可動接触子７側に張り出す突壁として障壁部１８を設けてある。このため、可動接触子７の端部７ｂと振動規制部１２との接触によって塵芥が生じた場合にも、この障壁部１８によって塵芥が接点６ａ，７ａ側に到達するのを抑制し、これにより、塵芥が接点６ａ，７ａ間に介在して接触不良等が生じるのを抑制することができる。
【００３８】
（第２実施形態）図２は、本発明の第２実施形態にかかるリモコンリレーの内部構成の一部を示す側面図である。
【００３９】
本実施形態にかかるリモコンリレー１Ａでは、接点６ａ，７ａが閉じられた状態で、可動接触子７Ａの可動接点７ａに対して長手方向反対側となる端部７ｂを、隔壁１７Ａの側面１７ｂに微小な間隙をもって対向する位置まで延設している。この場合、隔壁１７Ａ（の側面１７ｂ）が振動規制部１２Ａとなる。
【００４０】
かかる構成によっても、接点６ａ，７ａが閉じた際に振動する可動接触子７に振動規制部１２Ａが接触することによってその振動が抑制され、チャタリングを抑制することができる。
【００４１】
（第３実施形態）図３は、本発明の第３実施形態にかかるリモコンリレーの内部構成を示す側面図である。
【００４２】
本実施形態にかかるリモコンリレー１Ｂでは、振動規制部１２Ｂを連動レバー１４Ｂに設けてある。すなわち、振動規制部１２Ｂは、接点６ａ，７ａが閉じられた状態で、連動レバー１４Ｂの、可動接触子７の端部７ｂに対して微小な間隙をもって対向する位置に、突壁として設けてある。
【００４３】
かかる構成によっても、接点６ａ，７ａが閉じた際に振動する可動接触子７に振動規制部１２Ｂが接触することによってその振動が抑制され、チャタリングを抑制することができる。また、本実施形態では、可動接触子７に比較的近い位置に配置される連動レバー１４Ｂを利用して、振動規制部１２Ｂを比較的簡素な構成として得ることができる。
【００４４】
（第４実施形態）図４は、本発明の第４実施形態にかかるリモコンリレーの内部構成を示す側面図である。
【００４５】
本実施形態にかかるリモコンリレー１Ｃでは、振動規制部１２Ｃをケース２Ｃに設けてある。すなわち、振動規制部１２Ｃは、接点６ａ，７ａが閉じられた状態で、ボディ３Ｃの底壁部３ａまたはカバー（図示せず）の、可動接触子７の端部７ｂに対して微小な間隙をもって対向する位置に、突壁として設けてある。
【００４６】
かかる構成によっても、接点６ａ，７ａが閉じた際に振動する可動接触子７に振動規制部１２Ｃが接触することによってその振動が抑制され、チャタリングを抑制することができる。
【００４７】
以上、本発明の好適な実施形態について説明したが、本発明は上記実施形態には限定されず、種々の変形が可能である。例えば、振動規制部や可動接触子の配置、形状、大きさ等は、上記実施形態には限定されず、種々の変形が可能である。また、本発明を、固定接触子と可動接触子とが一対のリモコンリレーについても同様に適用可能であることは言うまでもない。
【図面の簡単な説明】
【００４８】
【図１】本発明の第１実施形態にかかるリモコンリレーの内部構成を示す側面図である。
【図２】本発明の第２実施形態にかかるリモコンリレーの内部構成の一部を示す側面図である。
【図３】本発明の第３実施形態にかかるリモコンリレーの内部構成を示す側面図である。
【図４】本発明の第４実施形態にかかるリモコンリレーの内部構成を示す側面図である。
【符号の説明】
【００４９】
１，１Ａ，１Ｂ，１Ｃ  リモコンリレー
２，２Ｃ  ケース
６  固定接触子
６ａ  固定接点
７  可動接触子
７ａ  可動接点
７ｂ  端部
１０  電磁石ブロック（有極電磁石装置）
１２，１２Ａ，１２Ｂ，１２Ｃ  振動規制部
１３  プランジャ
１４，１４Ｂ  連動レバー
１７，１７Ａ  隔壁
１８  障壁部
【図１】
0004988468.tif 000002
【図２】
0004988468.tif 000003
【図３】
0004988468.tif 000004
【図４】
0004988468.tif 000005